(57)【要約】【課題】所望の省電力状態を維持する効率性を向上させることができる情報処理装置を提供する。【解決手段】情報処理装置１００において入力部３０にはユーザーの操作に応じて指示が入力される。計時部４０は無操作時間を計測する。制御部１０は、検出部２０の検出結果と無操作時間とに基づいて複数の待機状態を切替える。複数の待機状態は、第１待機状態と第１待機状態よりも消費電力の少ない第２待機状態と更に消費電力の少ない第３待機状態とを含む。制御部１０は、無操作時間が第１時間継続した場合、第１待機状態を第２待機状態に切替え、無操作時間が更に第２時間継続した場合、第２待機状態を第３待機状態に切替える。制御部１０は、第２待機状態及び第３待機状態のいずれかにおいて、検出部２０が検出対象を検出した場合に待機状態を第１待機状態に切替えて、切替えた時刻から無操作時間が第３時間継続した場合、第１待機状態を元の待機状態に切替える。【選択図】図１
2019161479.tif 000002
【特許請求の範囲】
【請求項１】
消費電力の異なる複数の待機状態を切り替えて動作する情報処理装置であって、
予め規定された範囲内に存在する検出対象を検出する検出部と、
ユーザーの操作に応じて指示が入力される入力部と、
前記指示の入力されていない時間である無操作時間の長さを計測する計時部と、
前記検出部の検出結果と、前記無操作時間とに基づいて前記複数の待機状態を切り替える制御部と
を備え、
前記複数の待機状態は、第１待機状態と、前記第１待機状態よりも前記消費電力の少ない第２待機状態と、前記第２待機状態よりも前記消費電力の少ない第３待機状態とを含み、
前記制御部は、
前記第１待機状態において、前記無操作時間が第１時間継続したことを前記計時部が計測した場合、前記第１待機状態を前記第２待機状態に切り替え、
前記第２待機状態において、前記第２待機状態に切り替えた時刻から前記無操作時間が引き続き第２時間継続したことを前記計時部が計測した場合、前記第２待機状態を前記第３待機状態に切り替え、
前記第２待機状態及び前記第３待機状態のいずれか一方の待機状態において、前記検出部が前記検出対象を検出した場合、前記一方の待機状態を前記第１待機状態に切り替え、
前記検出部の検出結果に応じて前記第１待機状態に切り替えた時刻から、前記無操作時間が第３時間継続したことを前記計時部が計測した場合、前記第１待機状態を前記一方の待機状態に切り替える、情報処理装置。
【請求項２】
前記第３時間は、前記第１時間よりも短い、請求項１に記載の情報処理装置。
【請求項３】
画面画像を表示する画面を有する表示部と、
シートに印刷画像を形成する画像形成部と
を更に備え、
前記第１待機状態は、最小の待ち時間で前記画像形成部が前記印刷画像を形成可能なレディー状態を示し、
前記第２待機状態は、前記画面の消灯状態を含む低電力状態を示し、
前記第３待機状態は、前記消灯状態と、前記画像形成部の温度の低減状態とを含むスリープ状態を示す、請求項１又は請求項２に記載の情報処理装置。
【発明の詳細な説明】
【技術分野】
【０００１】
本発明は、情報処理装置に関する。
【背景技術】
【０００２】
消費電力の異なる電力供給状態と電力非供給状態とを相互に遷移させる画像処理装置が知られている。このような画像処理装置として、特許文献１に記載の画像処理装置は、被動作部の不使用状態が所定時間以上継続する場合に、電力非供給状態へ遷移させる。特許文献１に記載の画像処理装置は、電力非供給状態への遷移の際にセンサーで人を検出した場合、電力非供給状態へ遷移する時期を延期できる。
【先行技術文献】
【特許文献】
【０００３】
【特許文献１】特開２０１２−１８６７２０号公報
【発明の概要】
【発明が解決しようとする課題】
【０００４】
しかしながら、特許文献１に記載の画像処理装置では、消費電力の異なる複数の電力非供給状態への遷移が可能である場合、通行人を検出したことによる電力非供給状態から電力供給状態への遷移後に、遷移前の所望の電力非供給状態と同じ状態に遷移しない可能性がある。従って、所望の電力非供給状態を維持することが困難であった。
【０００５】
本発明は上記課題に鑑みてなされたものであり、所望の省電力状態を維持する効率性を向上させることができる情報処理装置を提供することを目的とする。
【課題を解決するための手段】
【０００６】
本発明に係る情報処理装置は、消費電力の異なる複数の待機状態を切り替えて動作する。前記情報処理装置は、検出部と、入力部と、計時部と、制御部とを備える。前記検出部は、予め規定された範囲内に存在する検出対象を検出する。前記入力部には、ユーザーの操作に応じて指示が入力される。前記計時部は、前記指示の入力されていない時間である無操作時間の長さを計測する。前記制御部は、前記検出部の検出結果と、前記無操作時間とに基づいて前記複数の待機状態を切り替える。前記複数の待機状態は、第１待機状態と、前記第１待機状態よりも前記消費電力の少ない第２待機状態と、前記第２待機状態よりも前記消費電力の少ない第３待機状態とを含む。前記制御部は、前記第１待機状態において、前記無操作時間が第１時間継続したことを前記計時部が計測した場合、前記第１待機状態を前記第２待機状態に切り替える。前記制御部は、前記第２待機状態において、前記第２待機状態に切り替えた時刻から前記無操作時間が引き続き第２時間継続したことを前記計時部が計測した場合、前記第２待機状態を前記第３待機状態に切り替える。前記制御部は、前記第２待機状態及び前記第３待機状態のいずれか一方の待機状態において、前記検出部が前記検出対象を検出した場合、前記一方の待機状態を前記第１待機状態に切り替える。前記制御部は、前記検出部の検出結果に応じて前記第１待機状態に切り替えた時刻から、前記無操作時間が第３時間継続したことを前記計時部が計測した場合、前記第１待機状態を前記一方の待機状態に切り替える。
【発明の効果】
【０００７】
本発明の情報処理装置によれば、所望の省電力状態を維持する効率性を向上させることができる。
【図面の簡単な説明】
【０００８】
【図１】本発明の実施形態に係る情報処理装置を示す構成図である。
【図２】本発明の実施形態に係る情報処理装置を示す図である。
【図３】（ａ）及び（ｂ）は、複数の待機状態の切替え処理を示すタイミングチャートである。
【図４】（ａ）及び（ｂ）は、複数の待機状態の切替え処理を示すタイミングチャートである。
【図５】複数の待機状態の切替え処理を示すフローチャートである。
【発明を実施するための形態】
【０００９】
以下、本発明の実施形態について、図面を参照しながら説明する。なお、図中、同一又は相当部分については同一の参照符号を付して説明を繰り返さない。
【００１０】
図１と図２とを参照して、本発明の実施形態に係る情報処理装置１００の構成を説明する。図１は、情報処理装置１００を示す構成図である。図２は、本発明の実施形態に係る情報処理装置１００を示す図である。情報処理装置１００は、例えば、画像形成装置、又はパーソナルコンピューターである。以下では、情報処理装置１００が画像形成装置である実施形態について説明する。画像形成装置は、例えば、複写機、プリンター、ファクシミリ、又はこれらの機能を兼ね備えた複合機である。
【００１１】
図１に示すように、情報処理装置１００は、記憶部５０と、制御部１０と、入力部３０と、検出部２０と、計時部４０と、表示部６０とを備える。
【００１２】
記憶部５０は、例えば、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）によって構成される。記憶部５０は、各種のデータ、制御プログラム、及びアプリケーションプログラムを記憶する。データは、例えば、各種の時間の閾値情報、待機状態を示す履歴情報、及び画像データである。制御プログラムは、情報処理装置１００の各部の動作を制御するためのプログラムであり、制御部１０によって実行される。
【００１３】
制御部１０は、ＣＰＵ（Ｃｅｎｔｒａｌ  Ｐｒｏｃｅｓｓｉｎｇ  Ｕｎｉｔ）のようなプロセッサーと、電源制御モジュールとを含むハードウェア回路である。制御部１０は、記憶部５０に記憶された制御プログラムをプロセッサーが読み出して実行することによって、情報処理装置１００の各部の動作を制御する。また、プロセッサーは、記憶部５０に記憶されたアプリケーションプログラムを読み出して実行する。電源制御モジュールは、各部の動作に必要な電力の供給を制御する。また、制御部１０は、検出部２０から検出結果を示す信号を受け取る。また、制御部１０は、計時部４０から計測結果を示す信号を受け取る。
【００１４】
入力部３０には、ユーザーの操作に応じて各種の指示が入力される。詳細には、入力部３０は、例えば、タッチパネル機能と種々のハードウェアボタンとを有する操作パネルである。各種の指示は、例えば、原稿読取り指示、コピー印刷指示、又は各種の設定指示である。読取り指示は、原稿の画像を読み取る指示である。コピー印刷指示は、原稿をコピーして印刷する指示である。各種の設定指示は、情報処理装置１００の各種の設定を変更する指示である。各種の設定は、例えば、情報処理装置１００の待機状態を切り替える時間の閾値に対する設定である。
【００１５】
検出部２０は、予め規定された範囲内に存在する検出対象を検出する。詳細には、検出部２０は、反射式センサーのような人感センサーである。検出対象は、例えば、人体である。検出部２０は、例えば、操作パネルに配置される。検出部２０は、投光部と受光部とを含む。検出部２０は、投光部から赤外線を発して、検出対象から反射される赤外線を受光部で受けることによって、検出対象を検出する。検出部２０は、予め規定された範囲に検出対象が存在することを検出し、検出結果を示す信号（以下、「検出信号」と記載することがある。）を制御部１０に出力する。検出部２０は、検出対象が情報処理装置１００から離れると、予め規定された範囲内に検出対象が存在しないことを検出する。なお、検出部２０は、可視光又は超音波を検出するセンサーであってもよい。
【００１６】
計時部４０は、無操作時間の長さを計測する。無操作時間は、入力部３０に各種の指示が入力されていない時間を示す。計時部４０は、例えば、タイマー回路である。計時部４０は、計測結果を示す信号（以下、「計時信号」と記載することがある。）を制御部１０に出力する。
【００１７】
表示部６０は、例えば、タッチパネル機能を有するディスプレーであり、操作パネルに配置される。このような表示部６０は、入力部３０を兼ね得る。ディスプレーは、例えば、液晶ディスプレー、又は有機ＥＬディスプレー（Ｏｒｇａｎｉｃ  ＥｌｅｃｔｒｏＬｕｍｉｎｅｓｃｅｎｃｅ  ｄｉｓｐｌａｙ）である。
【００１８】
情報処理装置１００は、複数の待機状態を切り替えて動作する。複数の待機状態の各々は、消費電力が異なる。詳細には、制御部１０は、検出部２０の検出結果と、無操作時間とに基づいて複数の待機状態を切り替える。すなわち、制御部１０は、情報処理装置１００の各部の動作を制御することによって、情報処理装置１００の待機状態を切り替える。なお、複数の待機状態の詳細については、図３を参照して後述する。
【００１９】
図２に示すように、情報処理装置１００は、図１を参照して説明した記憶部５０と、制御部１０と、入力部３０と、検出部２０と、計時部４０と、表示部６０とに加えて、画像形成部７０と、読取部８０と、給送部９０と、搬送部９１と、排出部９２とを更に備え得る。
【００２０】
表示部６０は、画面画像を表示する画面６１を有する。画面画像は、各種の指示を入力するための画像であり、メッセージ画像、ソフトウェアボタン画像、及びアイコン画像を含む。制御部１０は、画面６１の点灯状態を変更するように表示部６０を制御し得る。
【００２１】
読取部８０は、入力部３０に入力される読取り指示に応じて、原稿Ｇの画像を読み取る。読取部８０は、読み取った画像から画像データを生成する。給送部９０は、複数のシートＰを収容し、搬送部９１へシートＰを給送する。シートＰは、例えば、紙製又は合成樹脂製のシートである。搬送部９１は、複数の搬送ローラー対を含み、画像形成部７０にシートＰを搬送する。
【００２２】
画像形成部７０は、電子写真方式によってシートＰに印刷画像（例えば、原稿Ｇの画像）を形成し、印刷画像を加熱及び加圧してシートＰに印刷画像を定着させる。具体的には、画像形成部７０は、感光体ドラムと、帯電装置と、露光装置と、現像装置と、補給装置と、転写装置と、クリーニング装置と、除電装置と、定着装置７１とを含む。定着装置７１は、シートＰを加熱及び加圧することによって未定着のトナー（印刷画像を示すトナー画像）を溶融させ、シートＰにトナーを定着させる。制御部１０は、例えば、定着装置７１の温度を変更するように画像形成部７０を制御し得る。
【００２３】
搬送部９１は、印刷画像の定着されたシートＰを排出部９２に搬送する。排出部９２は、情報処理装置１００の外部にシートＰを排出する。
【００２４】
続いて、図１と図２とを参照しつつ、図３を更に参照して、情報処理装置１００の構成の詳細と、複数の待機状態Ｓの詳細とについて説明する。図３（ａ）及び（ｂ）は、情報処理装置１００における複数の待機状態Ｓの切替え処理を示すタイミングチャートである。
【００２５】
複数の待機状態Ｓは、第１待機状態Ｓ１と、第２待機状態Ｓ２と、第３待機状態Ｓ３とを含む。図３（ａ）は、制御部１０が第２待機状態Ｓ２（時刻ＴＭ２〜時刻ＴＭ３）から第１待機状態Ｓ１へ検出信号Ｄに応じて待機状態Ｓを切り替える場合を示す。図３（ｂ）は、制御部１０が第３待機状態Ｓ３（時刻ＴＭ５〜時刻ＴＭ６）から第１待機状態Ｓ１へ検出信号Ｄに応じて待機状態Ｓを切り替える場合を示す。
【００２６】
第１待機状態Ｓ１は、例えば、消費電力Ｗが通常値である状態（以下、「通常状態」と記載することがある。）を示す。第１待機状態Ｓ１の消費電力Ｗは、例えば、消費電力Ｗ１である。通常状態は、例えば、レディー状態である。レディー状態は、最小の待ち時間で画像形成部７０がシートＰに印刷画像を形成可能な状態である。すなわち、レディー状態において入力部３０に各種の印刷指示（例えば、コピー印刷指示、又は、情報処理装置１００のステータス印刷指示）が入力された場合、画像形成部７０は、レディー状態以外の待機状態Ｓよりも短い時間でシートＰに印刷画像を形成する。
【００２７】
第２待機状態Ｓ２は、第１待機状態Ｓ１よりも消費電力Ｗの少ない状態を示す。詳細には、第２待機状態Ｓ２の消費電力Ｗは、例えば、消費電力Ｗ２である。第１待機状態Ｓ１が通常状態である実施形態において、第２待機状態Ｓ２は、通常状態よりも消費電力Ｗが少ない省電力状態を示す。省電力状態において、電源制御モジュールは、情報処理装置１００の各部への電力の供給量を通常状態よりも低減させる。第２待機状態Ｓ２は、例えば、低電力状態である。低電力状態は、省電力状態の一例であり、表示部６０の画面６１の消灯状態を含む。消灯状態は、例えば、表示部６０が、液晶ディスプレーのバックライトを消灯した状態を示す。
【００２８】
第３待機状態Ｓ３は、第２待機状態Ｓ２よりも消費電力Ｗの少ない状態を示す。詳細には、第３待機状態Ｓ３の消費電力Ｗは、例えば、消費電力Ｗ３である。第３待機状態Ｓ３は、例えば、スリープ状態である。スリープ状態は、省電力状態の一例であり、表示部６０の消灯状態と、画像形成部７０の温度の低減状態とを含む。画像形成部７０の温度の低減状態は、第１待機状態Ｓ１及び第２待機状態Ｓ２よりも、例えば、定着装置７１の温度を低減させた状態を示す。
【００２９】
図３（ａ）に示すように、制御部１０は、第１待機状態Ｓ１において、無操作時間Ｎが第１時間Ｔ１継続したことを計時部４０が計測した場合、第１待機状態Ｓ１を第２待機状態Ｓ２に切り替える。具体的には、第１時間Ｔ１は、時刻ＴＭ１から時刻ＴＭ２までの時間Ｔを示す。第１時間Ｔ１は、例えば、３分である。計時部４０は、無操作時間Ｎが第１時間Ｔ１継続したことを計測すると、計時信号を制御部１０に出力する。制御部１０は、計時信号に基づいて第１待機状態Ｓ１を第２待機状態Ｓ２に切り替える。
【００３０】
さらに、図３（ｂ）に示すように、制御部１０は、第２待機状態Ｓ２において、第２待機状態Ｓ２に切り替えた時刻ＴＭ２から無操作時間Ｎが引き続き第２時間Ｔ２継続したことを計時部４０が計測した場合、第２待機状態Ｓ２を第３待機状態Ｓ３に切り替える。具体的には、第２時間Ｔ２は、時刻ＴＭ２から時刻ＴＭ５までの時間Ｔを示す。計時部４０は、無操作時間Ｎが第２時間Ｔ２継続したことを計測すると、計時信号を制御部１０に出力する。制御部１０は、計時信号に基づいて第２待機状態Ｓ２を第３待機状態Ｓ３に切り替える。
【００３１】
なお、第１時間Ｔ１と、第２時間Ｔ２とは、ユーザーの操作に応じて情報処理装置１００に設定されてもよいし、デフォルトで予め設定されていてもよい。通常状態への復帰時間を短くすることを優先する場合（例えば、スリープ状態よりも低電力状態を優先する場合）、第２時間Ｔ２を長くするように入力部３０を介して設定を変更すればよい。例えば、第２時間Ｔ２は、２４０分である。情報処理装置１００の消費電力Ｗを低減させることを優先する場合（例えば、スリープ状態を優先する場合）、第２時間Ｔ２を短くするように入力部３０を介して設定を変更すればよい。例えば、第２時間Ｔ２は、３分である。
【００３２】
制御部１０は、第２待機状態Ｓ２及び第３待機状態Ｓ３のいずれか一方の待機状態Ｓにおいて、検出部２０が検出対象を検出した場合、待機状態Ｓを第１待機状態Ｓ１に切り替える。詳細には、検出部２０は、検出信号Ｄを制御部１０に出力する。制御部１０は、検出信号Ｄに応じて待機状態Ｓを第１待機状態Ｓ１に切り替える。記憶部５０には、第１待機状態Ｓ１に切り替える直前の待機状態Ｓ（以下、「元の待機状態Ｓ」、又は「元の省電力状態」と記載することがある。）を示す履歴情報が記憶される。
【００３３】
例えば、図３（ａ）に示すように、制御部１０は、第２待機状態Ｓ２において時刻ＴＭ３に検出信号Ｄを受け取ると、第２待機状態Ｓ２を第１待機状態Ｓ１に切り替える。一方、例えば、図３（ｂ）に示すように、制御部１０は、第３待機状態Ｓ３において時刻ＴＭ６に検出信号Ｄを受け取ると、第３待機状態Ｓ３を第１待機状態Ｓ１に切り替える。
【００３４】
制御部１０は、検出部２０の検出結果に応じて第１待機状態Ｓ１に切り替えた時刻から、無操作時間Ｎが第３時間Ｔ３継続したことを計時部４０が計測した場合、第１待機状態Ｓ１を元の待機状態Ｓに切り替える。具体的には、制御部１０は、検出信号Ｄに応じて第１待機状態Ｓ１に切り替えた場合、かつ、第１待機状態Ｓ１に切り替えた時刻から無操作時間Ｎが第３時間Ｔ３（例えば、３分）継続した場合に、計時部４０から計時信号を受け取る。制御部１０は、複数の待機状態Ｓのうちの元の待機状態Ｓに第１待機状態Ｓ１を切り替える。
【００３５】
例えば、図３（ａ）に示すように、制御部１０は、検出信号Ｄに応じて第１待機状態Ｓ１に切り替えた時刻ＴＭ３から時刻ＴＭ４まで無操作時間Ｎが継続すると、元の待機状態Ｓである第２待機状態Ｓ２に第１待機状態Ｓ１を切り替える。また、例えば、図３（ｂ）に示すように、制御部１０は、検出信号Ｄに応じて第１待機状態Ｓ１に切り替えた時刻ＴＭ６から時刻ＴＭ７まで無操作時間Ｎが継続すると、元の待機状態Ｓである第３待機状態Ｓ３に第１待機状態Ｓ１を切り替える。
【００３６】
なお、第３時間Ｔ３は、デフォルトで予め短い時間として設定されることが好ましい。例えば、第３時間Ｔ３が第１時間Ｔ１以上であっても、制御部１０は、検出信号Ｄに応じて第１待機状態Ｓ１に切り替えた時刻から無操作時間Ｎが継続する場合、第１時間Ｔ１よりも第３時間Ｔ３による無操作時間Ｎの継続を優先する。すなわち、制御部１０は、第１時間Ｔ１の経過を無視して、第３時間Ｔ３の経過に従って元の待機状態Ｓへの切替え処理を実行する。
【００３７】
以上、図１〜図３を参照して説明したように、本実施形態によれば、情報処理装置１００は、消費電力Ｗの異なる複数の待機状態Ｓを切り替えて動作する。制御部１０は、第１待機状態Ｓ１において、無操作時間Ｎが第１時間Ｔ１継続した場合、第１待機状態Ｓ１を第２待機状態Ｓ２に切り替える。制御部１０は、第２待機状態Ｓ２において、第２待機状態Ｓ２に切り替えた時刻ＴＭ２から無操作時間Ｎが引き続き第２時間Ｔ２継続した場合、第２待機状態Ｓ２を第３待機状態Ｓ３に切り替える。制御部１０は、第２待機状態Ｓ２及び第３待機状態Ｓ３のいずれか一方の待機状態Ｓにおいて検出部２０が検出対象を検出した場合、第１待機状態Ｓ１に切り替える。制御部１０は、検出部２０の検出結果に応じて第１待機状態Ｓ１に切り替えた時刻から、無操作時間Ｎが第３時間Ｔ３継続した場合、第１待機状態Ｓ１を元の待機状態Ｓに切り替える。このようにして、例えば、通行人を検出したことによる第１待機状態Ｓ１への切り替え後に一定時間経過した場合、制御部１０は、待機状態Ｓを元の省電力状態に戻すことができる。従って、ユーザーの意図しない第１待機状態Ｓ１への切り替え後であっても、切り替え前に維持していた所望の省電力状態へ、他の省電力状態を経由することなく待機状態Ｓを戻すことができる。その結果、所望の省電力状態を維持する効率性を向上させることができる。
【００３８】
なお、本実施形態によれば、情報処理装置１００は、表示部６０と、画像形成部７０とを更に備えることが好ましい。第１待機状態Ｓ１、第２待機状態Ｓ２、及び第３待機状態Ｓ３は、それぞれレディー状態、低電力状態、及びスリープ状態であり得る。レディー状態は、最小の待ち時間で画像形成部７０が印刷画像を形成可能な状態である。低電力状態は、表示部６０の消灯状態を含む。スリープ状態は、表示部６０の消灯状態と、画像形成部７０の温度の低減状態とを含む。従って、消費電力Ｗの比較的大きな通常状態から所望の省電力状態へ待機状態Ｓを効率良く戻すことができる。
【００３９】
また、図４（ａ）及び（ｂ）に示すように、第３時間Ｔ３は、第１時間Ｔ１よりも短いことが好ましい。図４（ａ）及び（ｂ）は、複数の待機状態Ｓの切替え処理を示すタイミングチャートである。図４（ａ）は、図３（ａ）を参照して説明した切替え処理と同様に、制御部１０が第２待機状態Ｓ２（時刻ＴＭ２〜時刻ＴＭ３）から第１待機状態Ｓ１へ検出信号Ｄに応じて待機状態Ｓを切り替える場合を示す。図４（ｂ）は、図３（ｂ）を参照して説明した切替え処理と同様に、制御部１０が第３待機状態Ｓ３（時刻ＴＭ５〜時刻ＴＭ６）から第１待機状態Ｓ１へ検出信号Ｄに応じて待機状態Ｓを切り替える場合を示す。
【００４０】
例えば、第１時間Ｔ１、及び第３時間Ｔ３は、それぞれ３分、及び１分である。制御部１０は、検出部２０の検出結果に応じて第１待機状態Ｓ１に切り替えた時刻（図４（ａ）に示す時刻ＴＭ３、又は図４（ｂ）に示す時刻ＴＭ６）から無操作時間Ｎが第３時間Ｔ３継続した場合、第１時間Ｔ１（図４（ａ）に示す時刻ＴＭ３〜ＴＭ８、又は図４（ｂ）に示す時刻ＴＭ６〜ＴＭ９）よりも短い時間で第１待機状態Ｓ１を元の待機状態Ｓへ切り替える。このようにして、情報処理装置１００は、所望の省電力状態である元の待機状態Ｓに早期に復帰できる。従って、情報処理装置１００の消費電力Ｗを低減するとともに、ユーザーが情報処理装置１００を使用する利便性を向上させることができる。
【００４１】
続いて、図１〜図５を参照して、情報処理装置１００の動作を説明する。図５は、複数の待機状態Ｓの切替え処理を示すフローチャートである。ステップＳ１０１〜ステップＳ１３３が実行されることによって、情報処理装置１００は、複数の待機状態Ｓの切替え処理を実行する。具体的には、以下の通りである。
【００４２】
ステップＳ１０１において、制御部１０は、第１待機状態Ｓ１を実行する。処理は、ステップＳ１０３に進む。
【００４３】
次に、ステップＳ１０３において、計時部４０は、第１待機状態Ｓ１における無操作時間Ｎを計測する。計時部４０は、計時信号を制御部１０に出力する。処理は、ステップＳ１０５に進む。
【００４４】
次に、ステップＳ１０５において、制御部１０は、無操作時間Ｎが第１時間Ｔ１継続したか否かを計時信号に基づいて判定する。第１時間Ｔ１継続した場合（ステップＳ１０５でＹｅｓ）に、処理はステップＳ１０７に進む。一方、第１時間Ｔ１継続していない場合（ステップＳ１０５でＮｏ）に、制御部１０は、処理をステップＳ１０１へ進め、第１待機状態Ｓ１の実行を継続する。
【００４５】
ステップＳ１０５でＹｅｓの場合に、ステップＳ１０７において、制御部１０は、第２待機状態Ｓ２を実行する。すなわち、制御部１０は、第１待機状態Ｓ１を第２待機状態Ｓ２に切り替える。処理は、ステップＳ１０９に進む。
【００４６】
次に、ステップＳ１０９において、制御部１０は、検出対象が検出されたか否かを検出信号Ｄに基づいて判定する。検出対象が検出された場合（ステップＳ１０９でＹｅｓ）に、処理はステップＳ１１１に進む。一方、検出対象が検出されていない場合（ステップＳ１０９でＮｏ）に、処理はステップＳ１１９に進む。
【００４７】
ステップＳ１０９でＹｅｓの場合に、ステップＳ１１１において、制御部１０は、第１待機状態Ｓ１を実行する。すなわち、制御部１０は、第２待機状態Ｓ２を第１待機状態Ｓ１に切り替える。処理は、ステップＳ１１３に進む。
【００４８】
次に、ステップＳ１１３において、計時部４０は、第１待機状態Ｓ１における無操作時間Ｎを計測する。計時部４０は、計時信号を制御部１０に出力する。処理は、ステップＳ１１５に進む。
【００４９】
次に、ステップＳ１１５において、制御部１０は、無操作時間Ｎが第３時間Ｔ３継続したか否かを計時信号に基づいて判定する。第３時間Ｔ３継続した場合（ステップＳ１１５でＹｅｓ）に、処理はステップＳ１１７に進む。一方、第３時間Ｔ３継続していない場合（ステップＳ１１５でＮｏ）に、制御部１０は、無操作時間Ｎが第３時間Ｔ３継続するまでＳ１１５を繰り返す。
【００５０】
ステップＳ１１５でＹｅｓの場合に、ステップＳ１１７において、制御部１０は、第２待機状態Ｓ２を実行する。すなわち、制御部１０は、第１待機状態Ｓ１を第２待機状態Ｓ２に切り替える。そして、処理は終了する。
【００５１】
ステップＳ１０９でＮｏの場合に、ステップＳ１１９において、計時部４０は、第２待機状態Ｓ２における無操作時間Ｎを計測する。計時部４０は、計時信号を制御部１０に出力する。処理は、ステップＳ１２１に進む。
【００５２】
次に、ステップＳ１２１において、制御部１０は、無操作時間Ｎが第２時間Ｔ２継続したか否かを計時信号に基づいて判定する。第２時間Ｔ２継続した場合（ステップＳ１２１でＹｅｓ）に、処理はステップＳ１２３に進む。一方、第２時間Ｔ２継続していない場合（ステップＳ１２１でＮｏ）に、制御部１０は、処理をステップＳ１０７へ進め、第２待機状態Ｓ２の実行を継続する。
【００５３】
ステップＳ１２１でＹｅｓの場合に、ステップＳ１２３において、制御部１０は、第３待機状態Ｓ３を実行する。すなわち、制御部１０は、第２待機状態Ｓ２を第３待機状態Ｓ３に切り替える。処理は、ステップＳ１２５に進む。
【００５４】
次に、ステップＳ１２５において、制御部１０は、検出対象が検出されたか否かを検出信号Ｄに基づいて判定する。検出対象が検出された場合（ステップＳ１２５でＹｅｓ）に、処理はステップＳ１２７に進む。一方、検出対象が検出されていない場合（ステップＳ１２５でＮｏ）に、制御部１０は、処理をステップＳ１２３へ進め、第３待機状態Ｓ３の実行を継続する。
【００５５】
ステップＳ１２５でＹｅｓの場合に、ステップＳ１２７において、制御部１０は、第１待機状態Ｓ１を実行する。すなわち、制御部１０は、第３待機状態Ｓ３を第１待機状態Ｓ１に切り替える。処理は、ステップＳ１２９に進む。
【００５６】
次に、ステップＳ１２９において、計時部４０は、第１待機状態Ｓ１における無操作時間Ｎを計測する。計時部４０は、計時信号を制御部１０に出力する。処理は、ステップＳ１３１に進む。
【００５７】
次に、ステップＳ１３１において、制御部１０は、無操作時間Ｎが第３時間Ｔ３継続したか否かを計時信号に基づいて判定する。第３時間Ｔ３継続した場合（ステップＳ１３１でＹｅｓ）に、処理はステップＳ１３３に進む。一方、第３時間Ｔ３継続していない場合（ステップＳ１３１でＮｏ）に、制御部１０は、無操作時間Ｎが第３時間Ｔ３継続するまでＳ１３１を繰り返す。
【００５８】
ステップＳ１３１でＹｅｓの場合に、ステップＳ１３３において、制御部１０は、第３待機状態Ｓ３を実行する。すなわち、制御部１０は、第１待機状態Ｓ１を第３待機状態Ｓ３に切り替える。そして、処理は終了する。
【００５９】
以上、図面（図１〜図５）を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の消費電力の大きさ、時間の長さ、個数、間隔等は、図面作成の都合上から実際とは異なる。また、上記の実施形態で示す各構成要素の時間、形状、寸法等は一例であって、特に限定されるものではなく、本発明の構成から実質的に逸脱しない範囲で種々の変更が可能である。
【００６０】
（１）図１と図２とを参照して説明した検出部２０は、反射式センサーであったが、本発明はこれに限られない。検出部２０は、例えば、焦電式センサー又は、カメラであってもよい。焦電式センサーは、人体が動くことで生じる熱（赤外線量）の変化を検出する。カメラは、ＣＣＤ（Ｃｈａｒｇｅ  Ｃｏｕｐｌｅｄ  Ｄｅｖｉｃｅ）イメージセンサー、又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサーのような撮像素子を含む。
【００６１】
（２）図１〜図５を参照して説明した入力部３０は、操作パネルであったが、本発明はこれに限られない。入力部３０は、情報処理装置１００の各部を動作させる指示が入力され得る構成でありさえすればよい。情報処理装置１００が通信部を更に備える実施形態において、外部装置から通信部に指示が入力されてもよい。このような実施形態において、通信部は、入力部３０の一例に相当する。通信部は、ネットワークを介して各種の外部装置との間で有線又は無線通信可能に接続され、各種の信号及びデータを送受信する。指示は、例えば、情報処理装置１００に印刷処理を実行させる印刷ジョブである。
【００６２】
（３）図１〜図５を参照して説明した第１待機状態Ｓ１は、通常状態（例えば、レディー状態）であったが、本発明はこれに限られない。第１待機状態Ｓ１は、第２待機状態Ｓ２と第３待機状態Ｓ３とよりも消費電力Ｗの多い待機状態Ｓでありさえすればよい。第１待機状態Ｓ１は、例えば、第２待機状態Ｓ２と、第３待機状態Ｓ３とは異なる省電力状態であってもよい。省電力状態は、低電力状態と、スリープ状態とには限られず、その他の待機状態Ｓもあり得る。
【００６３】
（４）図２を参照して説明した情報処理装置１００は、電子写真方式の複合機であったが、本発明はこれに限られない。情報処理装置１００が画像形成装置である実施形態において、情報処理装置１００は、シートＰに印刷画像を形成可能な構成でありさえすればよい。情報処理装置１００は、例えば、インクジェット記録方式のプリンターであってもよい。例えば、情報処理装置１００がインクジェット記録方式のプリンターである場合、画像形成部７０は、記録ヘッドを含み得る。
【産業上の利用可能性】
【００６４】
本発明は、情報処理装置の分野に利用可能である。
【符号の説明】
【００６５】
１００    情報処理装置
１０      制御部
２０      検出部
３０      入力部
４０      計時部
Ｎ        無操作時間
Ｓ、Ｓ１、Ｓ２、Ｓ３    待機状態
Ｔ、Ｔ１、Ｔ２、Ｔ３    時間
ＴＭ１〜ＴＭ９    時刻
Ｗ        消費電力
【図１】
2019161479.tif 000003
【図２】
2019161479.tif 000004
【図３】
2019161479.tif 000005
【図４】
2019161479.tif 000006
【図５】
2019161479.tif 000007